(57)【要約】【課題】特定の患者の医用テレメータだけを選んで無線通信にて様々なコマンドを実行させる。【解決手段】第一の信号を発信する発信機と、受信した患者の生体情報を第二の信号として送信するとともに前記第一の信号を受信して当該第一の信号の内容に応じた動作を行う医用テレメータと、前記第二の信号を受信するモニタ装置と、を備える医用テレメータシステムを提供する。【選択図】図１
2012075854.tif 000002
【特許請求の範囲】
【請求項１】
第一の信号を発信する発信機と、
受信した患者の生体情報を第二の信号として送信するとともに前記第一の信号を受信して当該第一の信号の内容に応じた動作を行う医用テレメータと、
前記第二の信号を受信するモニタ装置と、
を備える医用テレメータシステム。
【請求項２】
前記発信機は、前記医用テレメータを識別する識別コードを含む前記第一の信号を発信し、
前記医用テレメータは、
受信した前記第一の信号に自らの識別コードが含まれているか否かを判別可能とし、
自らの前記識別コードが含まれている場合には、前記第一の信号の内容に応じた動作を行うことを特徴とする請求項１に記載の医用テレメータシステム。
【請求項３】
前記医用テレメータを複数備えることを特徴とする請求項１又は２に記載の医用テレメータシステム。
【請求項４】
前記発信機は、特定の前記医用テレメータの前記識別コードに対応付けて、当該医用テレメータに行わせるべき動作の内容を示すコマンドを含む前記第一の信号を発信することを特徴とする請求項１又は３のいずれか一項に記載の医用テレメータシステム。
【請求項５】
前記発信機は、単一のチャネルで前記第一の信号を発信することを特徴とする請求項１から４のいずれか一項に記載の医用テレメータシステム。
【請求項６】
前記発信機は、“音を出力する”、“光を出力する”、“前記医用テレメータを振動させる”、“生体信号の測定の開始または停止”、“第二の信号の送信の開始または停止”、“前記医用テレメータへの患者情報の登録”および“前記医用テレメータに登録されている患者情報の確認”の少なくともいずれかの動作を前記医用テレメータに実行させるためのコマンドを含む前記第一の信号を発信することを特徴とする請求項１から５のいずれかにに記載の医用テレメータシステム。
【請求項７】
前記発信機は、特定小電力無線周波数帯で前記第一の信号を発信し、
前記医用テレメータは、医療用無線周波数帯で前記第二の信号を送信することを特徴とする請求項１から６のいずれか一項に記載の医用テレメータシステム。
【請求項８】
前記モニタ装置は、特定の前記医用テレメータの識別コードと当該医用テレメータに対して実行させるべき所定の動作の内容を示すコマンドを発信可能とし、
前記発信機は、前記モニタ装置から受信した前記識別コードと前記コマンドを含む前記第一の信号を前記医用テレメータへ発信することを特徴とする請求項１から７のいずれか一項に記載の医用テレメータシステム。
【請求項９】
特定の前記医用テレメータの識別コードと当該医用テレメータに対して実行させるべき所定の動作の内容を示すコマンドを発信可能な外部医療機器をさらに備え、
前記発信機は、前記外部医療機器から送信された前記識別コードと前記コマンドを含む前記第一の信号を前記医用テレメータへ発信することを特徴とする請求項１から８のいずれか一項に記載の医用テレメータシステム。
【請求項１０】
特定の前記医用テレメータに対して実行させるべき所定の動作の内容を示すコマンドを発信可能な外部医療機器をさらに備え、
前記発信機は、前記所定の動作を実行させるべき特定の前記医用テレメータの識別コードを保持しており、当該識別コードと前記外部医療機器から送信された前記コマンドを含む前記第一の信号を前記医用テレメータへ発信することを特徴とする請求項１から８のいずれか一項に記載の医用テレメータシステム。
【請求項１１】
前記コマンドは、前記外部医療機器により測定された生体情報やアラームを前記第二の信号として特定の前記医用テレメータから送信させるべき旨の動作指示コマンドであることを特徴とする請求項９又は１０のいずれかに記載の医用テレメータシステム。
【請求項１２】
前記第二の信号を受信するアンテナをさらに備え、
前記発信機と前記アンテナは一体に設けられていることを特徴とする請求項１から１１のいずれか一項に記載の医用テレメータシステム。
【請求項１３】
前記発信機は、前記モニタ装置に設置されることを特徴とする請求項１から１１のいずれか一項に記載の医用テレメータシステム。
【請求項１４】
患者を特定するための患者情報を格納する患者情報格納部と、
前記患者情報格納部から前記患者情報を読み取り可能な患者情報取得部と、
をさらに備え、
前記患者情報取得部は、特定の前記医用テレメータの識別コードと読み取った前記患者情報を前記発信機へ送信し、
前記発信機は、前記患者情報取得部から送信された前記識別コードと前記コマンドを含む前記第一の信号を前記医用テレメータへ発信する
ことを特徴とする請求項１から１３のいずれか一項に記載の医用テレメータシステム。
【請求項１５】
患者を特定するための患者情報を格納する患者情報格納部と、
前記患者情報格納部から前記患者情報を読み取り可能な患者情報取得部と、
をさらに備え、
前記患者情報取得部は、読み取った前記患者情報を前記発信機へ送信し、
前記発信機は、特定の前記医用テレメータの識別コードを保持しており、当該識別コードと前記患者情報取得部から送信された前記患者情報とを含む前記第一の信号を前記医用テレメータへ発信する
ことを特徴とする請求項１から１３のいずれか一項に記載の医用テレメータシステム。
【請求項１６】
特定の前記医用テレメータは、受信した前記第一の信号に含まれる前記患者情報と自らに登録されている患者情報とが一致しなかった場合には、特定の前記医用テレメータが警告を発する
ことを特徴とする請求項１４または１５のいずれか一項に記載の医用テレメータシステム。
【請求項１７】
特定の前記医用テレメータは、受信した前記第一の信号に含まれる前記患者情報を前記第二の信号として前記モニタ装置へ送信し、
前記モニタ装置は、特定の前記医用テレメータから送信された患者情報と自らに登録されている患者情報とが一致しなかった場合には、前記モニタ装置が警告を発する
ことを特徴とする請求項１４から１６のいずれか一項に記載の医用テレメータシステム。
【請求項１８】
特定の前記医用テレメータは、受信した前記第一の信号に含まれる前記患者情報を前記第二の信号として前記モニタ装置へ送信し、
前記モニタ装置は、特定の前記医用テレメータから送信された前記患者情報と自らに登録されている患者情報とが一致しなかった場合には、前記特定の医用テレメータに警告を発するコマンドを含む第一の信号を、前記発信機を介して発信する
ことを特徴とする請求項１４から１７のいずれか一項に記載の医用テレメータシステム。
【請求項１９】
患者に装着されて当該患者の生体信号を測定する測定機能と、
各所に配置された発信機から発信される医用テレメータを識別する識別コードを含む信号を受信する受信機能と、
前記生体信号を医療用アンテナへ送信する送信機能と、
受信した前記信号に自らの前記識別コードが含まれているか否かを判別するＩＤ判別機能とを備え、
前記ＩＤ判別機能が、自らの前記識別コードが含まれると判別した場合に、所定動作を行うことを特徴とする医用テレメータ。
【発明の詳細な説明】
【技術分野】
【０００１】
本発明は、医用テレメータシステムおよび医用テレメータに関し、特に、病院の入院病棟などで使用され、患者の血圧や心拍数などの生体情報を経時的に測定可能な医用テレメータシステムおよび医用テレメータに関する。
【背景技術】
【０００２】
病院の入院病棟などでは、従来から医用テレメータシステムが患者監視に使用されている。従来の医用テレメータシステムは、例えば、特許文献１に示すように、患者を測定することにより得られた生体情報（測定データ）を無線送信する送信機と、この伝送された生体情報を表示し、かつ、記録する受信機とで構成されている。
【０００３】
また、近年は、患者による携帯が可能な送信機が普及したことによって、患者は血圧や心拍数などの生体情報の測定を続けながら病棟内を自由に移動することができる。そして、このような携帯可能な送信機の普及によって、患者の居場所が分からなくなるという問題が発生するようになった。これに対し、例えば、特許文献２に示すように、患者の大まかな現在位置の検出が可能なシステムが知られている。
【先行技術文献】
【特許文献】
【０００４】
【特許文献１】特開平５−１６１６１１号公報
【特許文献２】特開平１０−２４８８１６号公報
【発明の概要】
【発明が解決しようとする課題】
【０００５】
上記のような携帯可能な送信機の普及に伴って、例えば医師や看護師が患者を病室に呼び戻したいときに、病棟内を探したり放送で患者を呼び出す必要があった。また、患者が携行する送信機１台ごとに異なる周波数の受信機能を設けて、呼び出したい患者が携行する送信機に対して信号を送信する方法も有り得るが、医療用に利用できる周波数帯は限られており、呼び出し機能のために送信チャネルを多数設けることは難しかった。
【課題を解決するための手段】
【０００６】
本発明は、上記課題を解決するために、第一の信号を発信する発信機と、受信した患者の生体情報を第二の信号として送信するとともに前記第一の信号を受信して当該第一の信号の内容に応じた動作を行う医用テレメータと、前記第二の信号を受信するモニタ装置と、を備える医用テレメータシステムを提供する。
【０００７】
また、上記医用テレメータシステムにおいて、前記発信機は、前記医用テレメータを識別する識別コードを含む前記第一の信号を発信し、前記医用テレメータは、受信した前記第一の信号に自らの前記識別コードが含まれているか否かを判別する判別部をさらに備え、自らの前記識別コードが含まれている場合には、前記第一の信号の内容に応じた動作を行うことが好ましい。
【０００８】
また、上記医用テレメータシステムは、前記医用テレメータを複数備えることが好ましい。
【０００９】
また、上記医用テレメータシステムにおいて、前記発信機は、特定の前記医用テレメータの前記識別コードに対応付けて、当該医用テレメータに行わせるべき動作の内容を示すコマンドを含む前記第一の信号を送信することが好ましい。
【００１０】
また、上記医用テレメータシステムにおいて、前記発信機は、単一のチャネルで前記第一の信号を発信することが好ましい。
【００１１】
また、上記医用テレメータシステムにおいて、前記発信機は、“音を出力する”、“光を出力する”、“前記医用テレメータを振動させる”、“生体信号の測定の開始または停止”、“第二の信号の送信の開始または停止”、“前記医用テレメータへの患者情報の登録”および“前記医用テレメータに登録されている患者情報の確認”の少なくともいずれかの動作を前記医用テレメータに実行させるためのコマンドを含む前記第一の信号を発信することが好ましい。
【００１２】
また、上記医用テレメータシステムにおいて、前記発信機は、特定小電力無線周波数帯で前記第一の信号を発信し、前記医用テレメータは、医療用無線周波数帯で前記第二の信号を送信することが好ましい。
【００１３】
また、上記医用テレメータシステムにおいて、前記モニタ装置は、特定の前記医用テレメータの識別コードと当該医用テレメータに対して実行させるべき所定の動作の内容を示すコマンドを発信可能とし、前記発信機は、前記モニタ装置から受信した前記識別コードと前記コマンドを含む前記第一の信号を前記医用テレメータへ発信することが好ましい。
【００１４】
また、上記医用テレメータシステムは、特定の前記医用テレメータの識別コードと当該医用テレメータに対して実行させるべき所定の動作の内容を示すコマンドを発信可能な外部医療機器をさらに備え、前記発信機は、前記外部医療機器から送信された前記識別コードと前記コマンドを含む前記第一の信号を前記医用テレメータへ発信することが好ましい。
【００１５】
また、上記医用テレメータシステムは、特定の前記医用テレメータに対して実行させるべき所定の動作の内容を示すコマンドを発信可能外部医療機器をさらに備え、前記発信機は、前記所定の動作を実行させるべき特定の前記医用テレメータの識別コードを保持しており、当該識別コードと前記外部医療機器から送信された前記コマンドを含む前記第一の信号を前記医用テレメータへ発信することが好ましい。
【００１６】
また、前記コマンドは、前記外部医療機器が前記患者を測定することにより得られた前記生体情報やアラームを前記第二の信号として特定の前記医用テレメータから送信させるべき旨の動作指示コマンドであることが好ましい。
【００１７】
また、上記医用テレメータシステムは、前記第二の信号を受信するアンテナをさらに備え、前記発信機と前記アンテナは、一体に設けられていることが好ましい。
【００１８】
また、上記医用テレメータシステムにおいて、前記発信機は、前記モニタ装置に設置されることが好ましい。
【００１９】
また、上記医用テレメータシステムは、患者を特定するための患者情報を格納する患者情報格納部と、前記患者情報格納部から前記患者情報を読み取り可能な患者情報取得部とをさらに備え、前記患者情報取得部は、特定の前記医用テレメータの識別コードと、読み取った前記患者情報を前記発信機へ送信し、前記発信機は、前記患者情報取得部から送信された前記識別コードと前記コマンドを含む前記第一の信号を前記医用テレメータに発信することが好ましい。
【００２０】
また、上記医用テレメータシステムは、患者を特定するための患者情報を格納する患者情報格納部と、前記患者情報格納部から前記患者情報を読み取り可能な患者情報取得部とをさらに備え、前記患者情報取得部は、読み取った前記患者情報を前記発信機へ送信し、前記発信機は、特定の前記医用テレメータの識別コードを保持しており、当該識別コードと前記患者情報取得部から送信された前記患者情報とを含む前記第一の信号を前記医用テレメータへ発信することが好ましい。
【００２１】
また、上記医用テレメータシステムにおいて、特定の前記医用テレメータは、受信した前記第一の信号に含まれる前記患者情報と自らに登録されている患者情報とが一致しなかった場合には、特定の前記医用テレメータが警告を発することが好ましい。
【００２２】
また、上記医用テレメータシステムにおいて、特定の前記医用テレメータは、受信した前記第一の信号に含まれる前記患者情報を前記第二の信号として前記モニタ装置へ送信し、前記モニタ装置は、特定の前記医用テレメータから送信された前記患者情報と自らに登録されている患者情報とが一致しなかった場合には、前記モニタ装置が警告を発することが好ましい。
【００２３】
また、前記特定の医用テレメータは、受信した前記第一の信号に含まれる前記患者情報を前記第二の信号として前記モニタ装置へ送信し、
前記モニタ装置は、特定の前記医用テレメータから送信された前記患者情報と自らに登録されている患者情報とが一致しなかった場合には、特定の前記医用テレメータに警告を発するコマンドを含む第一の信号を、前記発信機を介して発信することが好ましい。
【００２４】
また、本発明は、他の形態として、患者に装着されて当該患者の生体信号を測定する測定機能と、各所に配置された発信機から発信される医用テレメータを識別する識別コードを含む信号を受信する受信機能と、前記生体信号を医療用アンテナへ送信する送信機能と、受信した前記信号に自らの前記識別コードが含まれているかのＩＤ判別機能とを備え、前記ＩＤ判別機能が、自らの前記識別コードが含まれると判別した場合に、所定動作を行うことを特徴とする医用テレメータを提供する。
【発明の効果】
【００２５】
本発明に係る医用テレメータシステム及び医用テレメータによれば、特定の医用テレメータに対して遠隔的に所定の動作を実行させることができるため、医療従事者の作業効率が向上する。
【００２６】
本発明の医用テレメータシステム及び医用テレメータによれば、医用テレメータから生体信号を送信するために必要な周波数（チャネル）以外に少なくとも１つのチャネルを確保するだけで、特定の患者が携帯している医用テレメータにアラームを出力させて当該患者を呼び出すなど、特定の患者の医用テレメータだけを選んで遠隔的に様々な動作を実行させることができる。
【００２７】
また、本発明に係る医用テレメータシステム及び医用テレメータによれば、医用テレメータが自己を識別する機能を有するため、モニタ装置が医用テレメータを呼び出す際に少なくとも一つの送信用チャネルを設ければよく、少ないチャネル数で選択的に特定の医用テレメータに対し所定の動作を実行できる。
【００２８】
本発明に係る医用テレメータシステム及び医用テレメータによれば、モニタ装置からの指示（第一の信号の送信）によって特定の医用テレメータに対し音を鳴らさせたり、発光させたり、振動させることができるため、該医用テレメータを携帯する患者を呼び出すことができる。また、本システムによれば、医用テレメータが所望の患者に適切に装着されているかを容易に確認できるため、患者の取り違え防止にも効果がある。
【００２９】
本発明に係る医用テレメータシステム及び医用テレメータによれば、特定の医用テレメータによる生体信号の測定や患者情報の登録のための操作をモニタ装置から遠隔でできるため、医療従事者が医用テレメータのそばまで行って操作する必要がなく、医療従事者の業務効率の向上にも効果がある。
【００３０】
本発明に係る医用テレメータシステム及び医用テレメータによれば、生体信号の送信の開始／停止を制御できるため、医用テレメータからモニタ装置へ送信される生体信号を時分割送信できることになる。この場合、モニタ装置は、複数の患者の生体信号を同一の送信チャネルで受信することが可能となる。
【００３１】
本発明に係る医用テレメータシステム及び医用テレメータによれば、外部医療機器により測定された生体情報や外部医療機器の状態を第一の信号として上記発信機を介して上記医用テレメータへ発信でき、さらに、これを受信した医用テレメータは第二の信号として上記モニタ装置へ送信できる為、複数ある外部医療機器の生体情報を一元管理することを可能とし、医療従事者の業務効率の向上にも効果を有する。
【００３２】
本発明に係る医用テレメータシステム及び医用テレメータによれば、上記医用テレメータが患者情報取得部より患者情報を取得でき、上記医用テレメータや上記モニタ装置に登録されている患者情報と一致しない場合には、警告を発することができる為、患者の取り違えを医療従事者が迅速に把握でき、安全管理面においても多大な効果を有する。
【００３３】
なお、上記の発明の概要は、本発明の必要な特徴の全てを列挙したものではなく、これらの特徴群のサブコンビネーションもまた、発明となりうる。
【図面の簡単な説明】
【００３４】
【図１】本発明の第一の実施形態に係る医用テレメータシステム１０の概略構成図である。
【図２】医用テレメータ１００の構成例を示すブロック図である。
【図３】セントラルモニタ２００の構成例を示すブロック図である。
【図４】本発明の第二の実施形態に係る医用テレメータシステム１１の概略構成図である。
【図５】本発明の第三の実施形態に係る医用テレメータシステム１２の概略構成図である。
【発明を実施するための形態】
【００３５】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００３６】
図１は、本発明の第一の実施形態に係る医用テレメータシステム１０の概略構成図である。また、図２は、医用テレメータ１００の構成例を示すブロック図であり、図３は、セントラルモニタ２００の構成例を示すブロック図である。
【００３７】
本実施形態に係る医用テレメータシステム１０は、患者の心電図、呼吸、血圧、脈波等の生体信号がそれぞれの測定機器から入力されるとともに入力された生体信号と患者の氏名などの患者情報などを含む生体データを生成して送信する複数の医用テレメータ１００（１００−１、１００−２、・・・１００−ｎ）と、それらの医用テレメータ１００（１００−１、１００−２、・・・１００−ｎ）から送信される生体データを受信して表示するセントラルモニタ２００とを備える。なお、以下において、複数の医用テレメータ１００−１、１００−２、・・・１００−ｎのいずれかを特定しない場合は、便宜的に「医用テレメータ１００」と表記する。
【００３８】
複数の医用テレメータ１００の各々は、例えば患者が携行あるいは共に移動できる程度の大きさあるいは重さの装置であり、図２に示すように、生体信号入力部１１０と、テレメータ側送信部１２０と、院内に設置された医用アンテナに測定した生体データを送信する送信用アンテナ１３０と、院内に設置された発信機（例えば位置情報を発信するビーコンなど）や後述のセントラルモニタ２００などのモニタ装置に設置された発信機（例えば後述のモニタ側送信部２２０および送信用アンテナ２３０）から発信される信号を受信する受信用アンテナ１３１およびテレメータ側受信部１４０と、テレメータ側記憶部１５０と、ＣＰＵ１６０と、テレメータ側表示部１７０と、音声出力部１８０と、使用者が操作するための操作部１９０を有する。
【００３９】
なお、本例の医用テレメータ１００は、送信用アンテナ１３０と受信用アンテナ１３１とを別体で備えているが、送受信可能な単一のアンテナを備えてもよい。また、使用者が操作部１９０に対して行う上記操作としては、例えば、生体信号の測定開始や停止、測定した生体データの送信開始や停止、各医用テレメータ１００への患者情報の登録や既に登録されている患者情報の修正などがあげられるが、これに限られるものではない。なお、発信機は、パソコンなどの外部機器から入力される信号や人工呼吸器などの外部医療機器から送信される信号を受信し、第一の信号として発信可能としても良い。さらに発信機は発信機自らが、所定の医用テレメータの識別コードを保持し、受信した信号に自らが保持する識別コードを付加して第一の信号として発信してもなお良い。ここで、第一の信号とは、発信機から医用テレメータへ送信される無線信号を意味する。
【００４０】
生体信号入力部１１０は、例えば患者に装着されている電極またはトランスデューサなどと電気的に接続し、当該電極またはトランスデューサなどから出力される心電図、呼吸、血圧、脈波等の生体信号が入力される。そして、生体信号入力部１１０は、入力される生体信号に対してノイズフィルタリングおよび増幅などの信号処理を実行し、テレメータ側送信部１２０へと出力する。
【００４１】
テレメータ側送信部１２０は、生体信号入力部１１０から生体信号が入力されるとともに、ＣＰＵ１６０から識別コードが入力される。この識別コードは、テレメータ側送信部１２０が設けられている医用テレメータ１００を他の医用テレメータ１００から識別するための固有のデータであり、例えば医用テレメータ１００の装置ＩＤ、型番、シリアル番号、ＭＡＣアドレスなどが挙げられ、テレメータ側送信部１２０が送信する際の送信周波数に対応するチャネル番号などの情報を含んでもよい。そして、テレメータ側送信部１２０は、入力される生体信号および識別コードを含む生体データを生成し、医用テレメータ１００の使用者によって予め設定されたチャネル番号に対応する送信周波数で生体データを、送信用アンテナ１３０を介して送信する。
【００４２】
ところで、本例では、複数の医用テレメータ１００−１、１００−２、・・・１００−ｎに設定されている送信チャネルは全て異なる。より具体的には、図１に示すように、医用テレメータ１００−１に設けられたテレメータ側送信部１２０は「チャネル１」に設定されている。すなわち、医用テレメータ１００−１に設けられたテレメータ側送信部１２０は、チャネル１に対応する送信周波数で生体データを送信する。また、医用テレメータ１００−２に設けられたテレメータ側送信部１２０は「チャネル２」に設定されている。すなわち、医用テレメータ１００−２に設けられたテレメータ側送信部１２０は、チャネル１と異なる周波数であるチャネル２に対応する送信周波数で生体データを送信する。
【００４３】
なお、医用テレメータ１００−１、１００−２、・・・１００−ｎに設定されている送信チャネル（チャネル１、チャネル２・・・、チャネルｎ）に対応する周波数は、本例では、４２０ＭＨｚから４５０ＭＨｚまでのいずれかの帯域から選択される。
【００４４】
テレメータ側受信部１４０は、セントラルモニタ２００から発信されるコマンドデータを、受信用アンテナ１３１を介して受信する。このコマンドデータは、本発明における第一の信号の一例であり、後述のように、特定の医用テレメータ１００に実行させるべきコマンドおよび当該特定の医用テレメータ１００の識別コードを含む。
【００４５】
ところで、本例の医用テレメータ１００は、セントラルモニタ２００における後述のモニタ側送信部２２０および送信用アンテナ２３０で構成される発信機から発信される信号（コマンドデータ）を受信用アンテナ１３１で受信する。これに替えて、医用テレメータ１００は、院内の一箇所または複数箇所に配置された発信機のうちの少なくとも一つから送信される信号（コマンドデータ）を受信用アンテナ１３１で受信してもよい。この際、複数の医用テレメータ１００−１、１００−２、・・・１００−ｎに設定されている受信チャネルは全て同一である。
【００４６】
より具体的には、図１に示すように、複数の医用テレメータ１００−１、１００−２、・・・１００−ｎの各々に設けられたテレメータ側受信部１４０は、全て「チャネルＡ」に設定されている。すなわち、全ての医用テレメータ１００（１００−１、１００−２、・・・１００−ｎ）に設けられたテレメータ側受信部１４０は、チャネルＡに対応する受信周波数でコマンドデータを受信する。ここで、チャネルＡに対応する周波数は、複数の医用テレメータ１００−１、１００−２、・・・１００−ｎに設定されている上記送信チャネル（チャネル１、チャネル２・・・、チャネルｎ）に対応する送信周波数のいずれとも異なる（例えば特定小電力無線周波数帯など）の周波数であることが好ましい。なお、送信用アンテナ１３０と受信用アンテナ１３１は送受信可能な同一のアンテナであっても良い。
【００４７】
なお、医用テレメータ１００−１、１００−２、・・・１００−ｎに設定されている受信チャネル（チャネルＡ）に対応する周波数は、本例では、３１２．５ＭＨｚから３１４．５ＭＨｚまでのいずれかの帯域から選択される。すなわち、本例では、テレメータ側受信部１４０は、特定小電力無線通信（空中線電力：２５０μＷ）の帯域で信号を受信可能である。また、テレメータ側受信部１４０は、特定小電力無線通信の帯域と微弱無線通信（空中線電力：５００μＶ／ｍ）の帯域とを切り替え可能であってもよい。
【００４８】
テレメータ側記憶部１５０は、自身が設けられている医用テレメータ１００の識別コード、および医用テレメータ１００の各種設定、測定している患者の氏名などの患者情報などを記憶する。また、テレメータ側記憶部１５０は、生体信号入力部１１０で生成された生体信号、およびテレメータ側受信部１４０が受信したコマンドデータなども記憶する。
【００４９】
操作部１９０には、使用者が生体信号（例えば、非観血血圧やＳｐＯ２や体温など）の測定の開始や停止をしたり、測定した生体データの送信開始や停止をしたり、各医用テレメータ１００に登録されている患者情報の登録や修正をすることがしたりできるようなインターフェースが設けられている。使用者の操作により、ＣＰＵ１６０を介して、生体信号入力部１１０は生体信号（例えば、非観血血圧やＳｐＯ２や体温など）の測定を開始したり、テレメータ送信部１２０は測定した信号をアンテナ１３０から送信したり、入力された患者情報をテレメータ側記憶部１６０に保存され、テレメータ側表示部１７０にその情報が表示される。
【００５０】
ＣＰＵ１６０は、医用テレメータ１００の各部を制御するとともに、テレメータ側記憶部１５０が記憶している識別コードを読み出してテレメータ側送信部１２０へと出力する。また、ＣＰＵ１６０は、テレメータ側受信部１４０が受信してテレメータ側記憶部１５０に記憶されたコマンドデータを読み出し、当該コマンドデータに含まれる識別コードが、テレメータ側記憶部１５０に記憶されている識別コード、すなわち医用テレメータ１００を他の医用テレメータ１００と識別する識別コードと一致するか否かを判別する。
【００５１】
そして、ＣＰＵ１６０は、コマンドデータに含まれる識別コードとテレメータ側記憶部１５０に記憶されている医用テレメータ１００の識別コードとが一致した場合のみ、コマンドデータに含まれるコマンドの内容を実行するための実行命令を出力する。より具体的には、ＣＰＵ１６０は、例えば、医用テレメータ１００の識別コードとアラームを出力すべき旨のコマンドとを含むコマンドデータをテレメータ側受信部１４０が受信した場合は、音声出力部１８０に対してアラームを出力すべき旨の実行命令を出力する。このように、ＣＰＵ１６０は、医用テレメータ１００各部の制御だけでなく、テレメータ側受信部１４０が受信したコマンドデータに含まれる識別コード（ＩＤ）に、自身の識別コードと一致するものが含まれているか否かを判別するＩＤ判別機能を有する。
【００５２】
テレメータ側表示部１７０は、例えばＬＣＤあるいはＣＲＴなどの表示画面であり、自身が設けられている医用テレメータ１００に入力される各種の生体信号の値および時間波形などを表示する。
【００５３】
音声出力部１８０は、本例では、電子音あるいはメッセージなどを患者に対して発することのできるスピーカーであり、上記のようにＣＰＵ１６０からアラームを出力すべき旨の実行命令が入力されると、例えば患者を呼び出す旨や患者に検査の時間を知らせる旨などの実行命令の内容に応じた電子音あるいはメッセージなどを発する。なお、図示しないが、コマンドに応じて、ＬＥＤなどにより発光する光出力部や、医用テレメータを振動させる振動出力部などが医用テレメータに備えられてもよい。
【００５４】
以上のように、複数の医用テレメータ１００は、上記のように、同一の受信チャネルが設定されていることから、セントラルモニタ２００から送信されるコマンドデータは、全ての医用テレメータ１００で受信される。しかしながら、コマンドデータに含まれる識別コードが、自身に設けられたテレメータ側記憶部１５０に記憶されている識別コードと一致しない医用テレメータ１００においては、コマンドデータに含まれるコマンドの内容は実行されず、コマンドデータに含まれる識別コードが、自身の識別コードと一致した医用テレメータ１００においてのみ音声の出力や生体信号の測定の開始などコマンドの内容が実行される。すなわち、本例の医用テレメータシステム１０が備える複数の医用テレメータ１００は、セントラルモニタ２００からブロードキャストで送信されるコマンドデータを実行すべきか否かの判定機能を有する。
【００５５】
セントラルモニタ２００は、図３に示すように、送信用アンテナ２３０と、送信用アンテナ２３０を介してコマンドデータを送信するモニタ側送信部２２０と、受信用アンテナ２３１と、受信用アンテナ２３１を介して医用テレメータ１００から送信される生体データを受信するモニタ側受信部２４０と、モニタ側記憶部２５０と、ＣＰＵ２６０と、モニタ側表示部２７０と、モニタ側操作部２８０とを有する。ここで、上記生体データは、本発明における第二の信号の一例であるが、その内容は一般的な医用テレメータからセントラルモニタなどのモニタ装置へ送信される無線信号に含まれる情報であれば特に限定されるものではなく、上記生体信号の他にも、患者ＩＤおよび患者の氏名などの患者情報やアラーム情報や生体信号の計測状態（例えば、電極外れや一時退室などによる計測の中断の有無）などの情報が含まれても良い。
【００５６】
また、セントラルモニタ２００は、本発明におけるモニタ装置の一例であり、モニタ側送信部２２０および送信用アンテナ２３０は、本発明における第一の信号を発信する発信機の一例である。また、本例では、発信機は、モニタ装置に設置されているが、モニタ装置とは別個独立に設けられてもよい。この場合、モニタ装置と発信機とは有線で接続されていても良いし、無線で接続されていても良い。また、本例では、複数の患者の生体データを受信するセントラルモニタ２００を例示したが、セントラルモニタ２００は、一人の患者の生体データを受信するベッドサイドモニタなどであってもよい。また、本例では、セントラルモニタ２００は、送信用アンテナ２３０と受信用アンテナ２３１を別体で備えるが、送受信可能な単一のアンテナを備えてもよい。
【００５７】
モニタ側送信部２２０は、後述のようにＣＰＵ２６０で生成されたコマンドデータを、予め設定された送信チャネルに対応する周波数で、送信用アンテナ２３０を介して全ての医用テレメータ１００に対してブロードキャスト送信する。本例では、モニタ側送信部２２０は、上記チャネルＡに対応する周波数で、上記コマンドデータを送信する。なお、コマンドデータには、識別コードだけでも良いし、例えば識別コードとともに“音を出力する”や“光を出力する”や“医用テレメータを振動させる”や“生体信号の測定の開始又は停止”や“生体データの送信の開始又は停止”や“患者情報の登録”や“患者情報の確認”などの所定の動作をさせるためのコマンドが含まれても良い。また、これらの動作は、モニタ側操作部２８０を介して、使用者により行われてもよい。ここで、“患者情報の登録”とは、テレメータ側記憶部１５０に所定の患者情報を記憶させるものであり、“患者情報の確認”とは、所定の医用テレメータ１００のテレメータ側記憶部１５０に保持されている患者情報と、モニタ側送信部２２０よりブロードキャスト送信された所定の患者情報とが一致するかを確認するものである。
【００５８】
モニタ側受信部２４０は、複数の医用テレメータ１００（１００−１、１００−２、・・・１００−ｎ）から送信される生体データを受信する。すなわち、モニタ側受信部２４０は、上記チャネル１、チャネル２・・・、チャネルｎの全てのチャネルに対応する周波数で受信可能である。
【００５９】
なお、図３では、上記コマンドデータの送信を担う送信用アンテナ２３０および上記生体データの受信を担う受信用アンテナ２３１をそれぞれ１つずつのみ図示している。しかしながら、例えば、これらのアンテナやモニタ側送信部２２０およびモニタ側受信部２４０の機能を有する送受信装置を病棟内の各所に１または複数設けてもよい。
【００６０】
モニタ側記憶部２５０は、複数の医用テレメータ１００−１、１００−２、・・・１００−ｎの各々の識別コード、各医用テレメータ１００で測定している患者情報およびセントラルモニタ２００の各種設定などを記憶する。また、モニタ側記憶部２５０は、複数の医用テレメータ１００−１、１００−２、・・・１００−ｎから送信された生体データや患者情報、およびモニタ側送信部２２０から送信されたコマンドデータなども記憶する。
【００６１】
ＣＰＵ２６０は、セントラルモニタ２００の各部を制御するとともに、モニタ側表示部２７０が記憶している複数の医用テレメータ１００−１、１００−２、・・・１００−ｎの識別コードを読み出す。そして、ＣＰＵ２６０は、複数の医用テレメータ１００−１、１００−２、・・・１００−ｎから送信された生体データに含まれる識別コードの中にモニタ側表示部２７０から読み出した識別コードと一致しないものが存在する場合、または同一の識別コードが２つ以上存在する場合は、混信や取り違えの可能性があると判断し、警告メッセージを表示すべき旨の実行命令をモニタ側表示部２７０へと出力する。
【００６２】
また、ＣＰＵ２６０は、予め設定されたプログラムあるいは使用者による操作部２８０を介した所定の外部入力に基づいて、特定の医用テレメータ１００に実行させるべきコマンド（所定の動作）および当該医用テレメータ１００の識別コードを含むコマンドデータを生成する。そして、ＣＰＵ２６０は、生成したコマンドデータをモニタ側送信部２２０へと出力する。
【００６３】
モニタ側表示部２７０は、例えばＬＣＤあるいはＣＲＴなどの表示画面であり、複数の医用テレメータ１００−１、１００−２、・・・１００−ｎから送信される生体データの各々に含まれる生体信号の値および時間波形などを表示する。なお、表示の方法については特に限定されない。また、モニタ側表示部２７０は、ＣＰＵ２６０から警告メッセージを表示すべき旨の実行命令を受け取った場合は、生体データの表示に替えて当該実行命令の内容に応じた警告メッセージを表示してもよい。
【００６４】
以上のように、本実施形態に係る医用テレメータシステム１０によれば、生体データをセントラルモニタ２００へ送信するために必要なチャネル（チャネル１、チャネル２・・・、チャネルｎ）以外に少なくとも１つのチャネル（チャネルＡ）を確保するだけで、特定の患者の医用テレメータ１００にアラームを出力させて当該患者を呼び出すなど、特定の患者の医用テレメータ１００だけを選んで無線通信にて様々なコマンドを実行させることができる。なお、本実施形態に係る医用テレメータシステム１０におけるモニタ装置の一例として、セントラルモニタ２００を例示した。しかし、モニタ装置はこれに限られることなく、ベッドサイドモニタや医療従事者が携帯する携帯端末など医用テレメータからの生体信号を受信できる態様であれば良い。
【００６５】
本発明を用いた実施形態は、上述の医用テレメータ１００とセントラルモニタ２００から構成される医用テレメータシステム１０に限られるものではなく、他の実施形態について以下に述べる。なお、以下の各実施形態において、上述の医用テレメータシステム１０と同じ構成については同じ符号を付してその説明を省略する。
【００６６】
図４は、本発明の第二の実施形態に係る医用テレメータシステム１１の概略構成図である。本実施形態に係る医用テレメータシステム１１は、上述の医用テレメータシステム１０と比べて、セントラルモニタ２００に替えてセントラルモニタ２０１を備える点と、さらに、外部医療機器３００およびビーコン中継機４００を備える点で異なる。
【００６７】
外部医療機器３００は、例えば患者の生体情報（例えば呼吸ガスや体温など）を測定可能とする生体情報測定装置や、患者を治療する人工呼吸器などの治療器が含まれる。そして、本例の外部医療機器３００は、上記生体情報を測定するための測定部（不図示）の他に、少なくとも、特定の医用テレメータ１００−×（例えば医用テレメータ１００−１）を他の医用テレメータ１００と識別するための識別コードと当該特定の医用テレメータ１００−×に対して実行させるべき動作の内容を示すコマンドを記憶する記憶部（不図示）と、上記識別コードおよび上記コマンドを所定の送信チャネルでビーコン中継機４００へ発信可能な通信部（不図示）とを備える。ここで、外部医療機器３００からビーコン中継機４００へ上記識別コードおよびコマンドを発信するために使用される送信チャネルの周波数は、例えば、医療用無線周波数帯における複数の医用テレメータ１００−１、１００−２、・・・１００−ｎに設定されている送信チャネル（チャネル１、チャネル２、・・・チャネルｎ）の送信周波数とは異なる周波数が使用される（本例では「チャネルｎ＋１」とする）。
【００６８】
また、外部医療機器３００からビーコン中継機４００へ発信される信号に含まれる上記コマンドは、例えば、外部医療機器３００により測定された生体情報や、外部医療機器３００が発するアラームに関する情報を、特定の医用テレメータ１００−×からセントラルモニタ２０１へ送信させる旨の動作指示コマンドなどである。
【００６９】
ビーコン中継機４００は、本発明における発信機の一例であり、外部医療機器３００から発信された上記識別コードと上記コマンドを含む信号を受信し、当該識別コードとコマンドを含む第一の信号を医用テレメータ１００へ発信する。なお、本例のビーコン中継機４００の送信チャネルは、上記の医用テレメータシステム１０が備えるセントラルモニタ２００の送信チャネルと同じチャネルＡに設定される。したがって、ビーコン中継機４００の送信周波数は、複数の医用テレメータ１００−１、１００−２、・・・１００−ｎに設定されている上記送信チャネル（チャネル１、チャネル２・・・、チャネルｎ）に対応する送信周波数のいずれとも異なる特定小電力無線周波数帯の周波数である。
【００７０】
セントラルモニタ２０１は、本発明におけるモニタ装置の一例であるが、上記の医用テレメータシステム１０が備えるセントラルモニタ２００とは異なり、特定の医用テレメータ１００に実行させるべきコマンドおよび当該医用テレメータ１００の識別コードを含むコマンドデータを、ビーコン中継機４００を介して複数の医用テレメータ１００に送信する。したがって、セントラルモニタ２０１からビーコン中継機４００へ上記コマンドデータを発信するために使用される送信チャネルの周波数は、ビーコン中継機４００から送信される後述の第一の信号との混信を避けるべく、例えば、医療用無線周波数帯における複数の医用テレメータ１００−１、１００−２、・・・１００−ｎに設定されている送信チャネル（チャネル１、チャネル２、・・・チャネルｎ）および上記の外部医療機器３００に設定されている送信チャネル（チャネルｎ＋１）の送信周波数とは異なる周波数が使用される（本例では「チャネルｎ＋２」とする）。
【００７１】
なお、本発明の第二の実施形態は、外部医療機器３００とビーコン中継器４００との間が無線により通信する例を示した。しかし、外部医療機器３００とビーコン中継器４００との間は必ずしも無線通信である必要はなく、有線通信であっても良いし、外部医療機器３００とビーコン中継器４００とが一体形成されていても良い。この場合、ビーコン中継器４００は受信チャネルを有する必要はない。
【００７２】
以上のような特徴を有する医用テレメータシステム１１によれば、外部医療機器３００により測定された生体情報や外部医療機器３００が発するアラームなどの外部医療機器３００の状態を、ビーコン中継機４００を介して医用テレメータ１００へ発信することができるとともに、当該生体情報などを医用テレメータ１００から第二の信号としてセントラルモニタ２０１へと送信することができる。また、特定の医用テレメータ１００−×を他の医用テレメータ１００と識別するための識別コードを利用することで、例えば複数の外部医療機器３００の各々が異なる特定の医用テレメータ１００−×に対してビーコン中継機４００を介して生体情報などを送信するように構成することで、複数の外部医療機器３００で測定される生体情報を一元管理することなどが可能となり、医療従事者の業務効率の向上にもつながる。
【００７３】
なお、上記の医用テレメータシステム１１では、外部医療機器３００から識別コードを発信しているが、例えば、外部医療機器３００からは測定した生体情報やアラームのみがビーコン中継機４００へ発信される構成として、特定の医用テレメータ１００−×の識別コードをビーコン中継機４００が保持してもよい。この場合、ビーコン中継機４００は、外部医療機器３００から送信されたアラームとビーコン中継機４００が保持する識別コードとを第一の信号（チャネルＡ）として、医用テレメータ１００へ発信する。そして、自身の識別コードを含む上記第一の信号をビーコン中継機４００から受信した医用テレメータ１００−×は、例えば外部医療機器３００により測定された生体情報やアラームの内容などをモニタ側表示部２７０に表示させたり印刷など方法で出力可能とし、さらに第二の信号としてセントラルモニタ２０１へ送信しても良い。
【００７４】
図５は、本発明の第三の実施形態に係る医用テレメータシステム１２の概略構成図である。本実施形態に係る医用テレメータシステム１２は、上述の医用テレメータシステム１１と比べて、外部医療機器３００に替えて患者１０００の腕に装着されたアームバンド６００に刻印されたバーコードを読み取り可能なバーコードリーダー５００を備える点で異なる。
【００７５】
アームバンド６００に刻印されたバーコードは、本発明における患者情報格納部の一例であり、例えばアームバンド６００を装着している患者１０００を特定するための患者情報を示すものとなっている。ここで患者情報とは、例えば、患者１０００に割り当てられたＩＤ、並びに、患者１０００の氏名および生年月日などであるが、患者１０００を特定するものであれば特に限定されない。また、上記バーコードには、患者情報以外にも患者１０００の患者情報を登録すべき医用テレメータ１００−×を特定する識別コードなどが示されていてもよい。
【００７６】
バーコードリーダー５００は、本発明における患者情報取得部の一例であり、患者１０００の腕に装着されたアームバンド６００に刻印された上記バーコードをかざすことで当該バーコードが示す患者情報を読み取ることのできる端末である。なお、患者情報格納部は、上記のバーコードに限定されず、例えば患者情報が書き込まれた磁気ストライプあるいはＩＣチップが内蔵された診察カードなどであってもよく、この場合は、患者情報取得部としては、本例のバーコードリーダー５００に替えて、上記診察カードに書き込まれた上記患者情報を読み取り可能なカードリーダーなどが用いられる。
【００７７】
バーコードリーダー５００は、上記バーコードを読み取ることのできる読取機構（不図示）の他に、少なくとも、上記バーコードを読み取ることにより取得した患者情報や識別コードを所定の送信チャネルでビーコン中継機４００へ発信可能な通信部（不図示）を備える。また、上記識別コードは、バーコードリーダー５００に設けた記憶部（不図示）に予め設定しておいてもよい。また、これに替えて、後述のように、上記識別コードをバーコードリーダー５００からの信号を特定の医用テレメータ１００へ中継可能なビーコン中継機４００に予め記憶させてもよい。
【００７８】
ところで、バーコードリーダー５００からビーコン中継機４００へ上記患者情報および上記識別コードを発信するために使用される送信チャネルの周波数は、例えば、医療用無線周波数帯における複数の医用テレメータ１００−１、１００−２、・・・１００−ｎに設定されている送信チャネル（チャネル１、チャネル２、・・・チャネルｎ）の送信周波数とは異なる周波数が使用される（本例では「チャネルｎ＋１」とする）。
【００７９】
なお、本発明の第三の実施形態は、バーコードリーダー５００とビーコン中継器４００との間が無線により通信する例を示した。しかし、バーコードリーダー５００とビーコン中継器４００との間は必ずしも無線通信である必要はなく、有線通信であっても良いし、バーコードリーダー５００とビーコン中継器４００とが一体形成されていても良い。この場合、ビーコン中継器４００は受信チャネルを有する必要はない。
【００８０】
ビーコン中継機４００は、バーコードリーダー５００から発信された上記識別コードと患者情報を含む信号を受信し、当該識別コードと患者情報を含む第一の信号を医用テレメータ１００へ発信する。なお、本例のビーコン中継機４００の送信チャネルは、上記の医用テレメータシステム１１が備えるビーコン中継機４００の送信チャネルと同じく特定小電力無線周波数帯の周波数であるチャネルＡに設定される。発信機へ読み取った情報を送信し、発信機は送信された情報を医用テレメータへ第一の信号として発信する。
【００８１】
ビーコン中継機４００から発信された第一の信号は、複数の医用テレメータ１００にて受信される。そして、それら複数の医用テレメータ１００のうちの識別コードが第一の信号に含まれる上記識別コードと一致する医用テレメータ１００−×は、第一の信号に含まれる上記患者情報を取得し、テレメータ側記憶部１５０に当該患者情報を登録する。そして、医用テレメータ１００−×は、取得した患者情報を第二の信号に含めてセントラルモニタ２０１へ送信する。
【００８２】
したがって、セントラルモニタ２０１では、新たに患者情報が登録された医用テレメータ１００−×からその患者情報を受け取ることができるので、例えばセントラルモニタ２０１側で各医用テレメータ１００に登録されている患者情報を管理している場合は、医用テレメータ１００−×から受け取った患者情報が医用テレメータ１００−×に登録されるべき患者１０００の患者情報であるか否かを確認することができる。そして、セントラルモニタ２０１は、医用テレメータ１００−×から受け取った患者情報が医用テレメータ１００−×に登録されるべき患者情報と異なる場合には患者取り違えの可能性を示す警報を発する。
【００８３】
なお、上記の例では、医用テレメータ１００−×がビーコン中継機４００からの第一の信号に含まれる患者情報を自身に登録する例を示したが、既に医用テレメータ１００−×におけるテレメータ側記憶部１５０に患者情報が登録されている場合には、医用テレメータ１００−×は、取得した上記患者情報と登録されている患者情報との一致判定を行う。そして、取得した上記患者情報と登録されている患者情報とが異なる場合は、医用テレメータ１００−×は、患者取り違えの可能性を示す警報を発する。なお、取得した上記患者情報と登録されている患者情報との不一致を知らせる手段は上記警報の発報に限られず、例えば警告情報を第二の信号に含めてセントラルモニタ２０１へ送信してもよい。これにより、セントラルモニタ２０１側で、登録されている患者情報が異なる患者情報に書き換えられようとしている医用テレメータ１００を迅速に把握することができるので、安全管理の面で多大な効果を発揮する。
【００８４】
以上、本発明を実施の形態を用いて説明したが、本発明の技術的範囲は上記実施の形態に記載の範囲には限定されない。上記実施の形態に、多様な変更または改良を加えることができることは当業者に明らかである。
【符号の説明】
【００８５】
１０，１１，１２…医用テレメータシステム
１００（１００−１、１００−２、・・・１００−ｎ）…医用テレメータ
１１０…生体信号入力部
１２０…テレメータ側送信部
１３０…送信用アンテナ
１３１…受信用アンテナ
１４０…テレメータ側受信部
１５０…テレメータ側記憶部
１６０…ＣＰＵ
１７０…テレメータ側表示部
１８０…音声出力部
１９０…操作部
２００，２０１…セントラルモニタ
２２０…モニタ側送信部
２３０…送信用アンテナ
２３１…受信用アンテナ
２４０…モニタ側受信部
２５０…モニタ側記憶部
２６０…ＣＰＵ
２７０…モニタ側表示部
２８０…モニタ側操作部
４００…ビーコン中継機
５００…バーコードリーダー（患者情報取得部）
６００…アームバンド（患者情報格納部）
１０００…患者
【図１】
2012075854.tif 000003
【図２】
2012075854.tif 000004
【図３】
2012075854.tif 000005
【図４】
2012075854.tif 000006
【図５】
2012075854.tif 000007